(57)【要約】【課題】本考案は光学移動式フラットベッド型検出機器を提供し、特に矩形型カンチレバアームの光学移動式フラットベッドを利用し、且つ、フラットベッドを駆動し縦、横方向に移動させる方式が可能で、被検出体に対して、Ｘ、Y軸の平面性の光学検出機能を実施することができ、ひいては高い安定性、検出機器の体積を大幅に小さくすると共に、高い精度で、光学ガラスのＲGＢ、インピーダンス、水平度、寸法精度…等を速く検出できるようになり、ハイテク技術である光学ガラスの検出に用いることができる。【解決手段】縦、横方向に移動させる方式が可能で、被検出体を静止状態のまま、矩形型カンチレバアームの光学移動式フラットベッドをX、Y軸の移動方式により、平面的に高い安定性と高い精度で検出する目的を達成させることである。【選択図】    図１
0003121366.tif 000002
【実用新案登録請求の範囲】
【請求項１】
台座、縦式スライド座、矩形型カンチレバアーム座、光学検出レンズ、及び設置台から構成された光学移動式フラットベッド型検出機器であって、矩形型カンチレバアーム座が開放型構造を有し、開放箇所の上、下端のそれぞれには、光学検出レンズが設置され、且つ、光学検出レンズに対応する箇所を互いに焦点を合わせて、縦式スライド座と台座の滑動シャフトにより、矩形型カンチレバアーム座を被検出体の面積の範囲内で、X、Y軸の移動方式により全面的に検出機能を行わせることを特徴とする光学移動式フラットベッド型検出機器。
【請求項２】
設置台が台座の一端に位置され、被検出体を安定して前上方に設置でき、固定された空中にういた座体は静止状態であることを特徴とする請求項１に記載の光学移動式フラットベッド型検出機器。
【請求項３】
矩形型カンチレバアーム座は、縦式スライド座が設置されたレール内で滑動し、X軸の移動機能を操作することを特徴とする請求項１に記載の光学移動式フラットベッド型検出機器。
【請求項４】
縦式スライド座が底部のスライド座により直立方法で台座のレールに滑動し、スライド座の全てを台座の経路に従って、Ｙ軸の移動機能を操作し、光学検出レンズが一対か一対以上により、矩形型カンチレバアーム座の開放端内部にそれぞれ設置され、異なる数値の検出をそれぞれ行うことを特徴とする請求項１に記載の光学移動式フラットベッド型検出機器。
【考案の詳細な説明】
【技術分野】
【０００１】
本考案は光学移動式フラットベッド型検出機器に係り、その設計の目的は矩形型カンチレバアームの光学移動式フラットベッドを提供することであり、縦、横方向に移動させる方式が可能で、被検出体を静止状態のまま、矩形型カンチレバアームの光学移動式フラットベッドをX、Y軸の移動方式により、平面的に高い安定性と高い精度で検出する目的を達成させることである。
【背景技術】
【０００２】
従来の光学検出機器の領域内で、採用される構造設計は２つに大きく分けられる。一つは被検出体を移動させ、光学検出レンズを静止状態に維持するもので、もう一つは光学検出レンズを移動させ、被検出体を静止状態に維持するものである。
【０００３】
被検出体を移動させることにより、光学検出レンズを静止状態に維持する。この種類の光学検出機器は、被検出体が移動することで検出機能を行わせる際、その構造の移動速度、移動安定度及び被検出体の大きさにより、検出値の精度に影響を及ぼし、構造が必要とする精密度と設計に対して満足が得られるものではない。さらに、被検出体が必要とする空間が移動することでフラットベッドが移動する際、体積があまりにも大きいので運送、組み立て、占有スペースに関する多くの問題が生じる。従って、この種類の光学検出機器はあまり利用されておらず、業者が採用することを困難にさせる。
【０００４】
光学検出レンズを移動させることにより、被検出体を静止状態に維持する。この種類の光学検出機器は詳細に研究されるが、この種類の検出機器は前記の型（被検出体を移動させ検出する）の欠点が取り除かれているので、検出時の安定度が向上し、産業用の利用価値も高くなる。しかしながら、この種類の光学検出機器は焦点を合わせや修正することに対して、現段階では、まだ重大な欠陥がある。主に光学検出レンズが二方向（上向きと下向き或いは右向きと左向き）に分かれているので、焦点合わせや修正する際、台座が補助的な効果を得ることができない。従って、焦点合わせや修正するのに時間を費やすが、どうしても検出許容誤差値を超えてしまい、検出結果に重大な影響を及ぼす。
【０００５】
従って、前記の二種類の光学検出機器を経て、光学検出機器の開発において、困難や阻害に遭っているが、今までのところ、光学検出設備は依然として業界が必要としている重大な開発考案である。
【考案の開示】
【考案が解決しようとする課題】
【０００６】
前述の事情に鑑み、本考案者は長年自動化精密工業設計と光学研究の経験を積み、光学移動式フラットベッド型検出機器を特に提供することで、目下業界が必要としている光学検出機器の設備を解決し、且つこの設備が専らハイテク技術の商品である光学ガラスや科学技術による平面（工学的平面）材質などに対して用いられ、ＲGＢ、インピーダンス、水平度、寸法精度…等を高い精度で検出でき、理念と希望は確かに前述のように、矩形型カンチレバアームの光学移動式フラットベッドに重点を置く。提供できる高い安定性、それが有する特性について箇条書きで以下に述べる。
【課題を解決するための手段】
【０００７】
１．       
矩形型カンチレバアームにより光学検出レンズを最も理想とする位置に架設でき、さらにそのカンチレバアームの開放部により、架設される光学検出レンズを空中に浮いた状態で対応させることができる。一つには光学検出レンズにぶつかり難くする特性を有させること、二つには光学検出レンズの修正と交換に対し、手早く便利にさせる効果を有させるからである。
２．       
矩形型カンチレバアームにより光学検出レンズを安定して精確に架設でき、光学検出レンズに初期移動や歪みを生じ難くさせ、さらに一度の焦点合わせや修正で、即基準値に合せられる。
３．       
矩形型カンチレバアームが安定して被検出体のＸ、Y軸を全面的に検出することで、光学検出機器の基本的な検出機能を達成することができる。
４．         
本考案を実施する特性は被検出体を静止状態に維持し、検出の安定度と精度を高め、最適な検出モデルを達成することである。
【考案を実施するための最良の形態】
【０００８】
まず図１に示すように、本考案のおおよその構造は、台座（１）、縦式スライド座（２）、矩形型カンチレバアーム座（３）、一対或いは一対以上の光学検出レンズ（４）、及び設置台（５）から構成され、矩形型カンチレバアーム座（３）が矩形型構造を有し、開放箇所の上、下端のそれぞれには、光学検出レンズ（４）が設置され、且つ、光学検出レンズ（４）に対応する箇所を互いに焦点を合わせて、矩形型カンチレバアーム座（３）を被検出体（A）の面積の範囲内で、検出の目的を達成させるものである。
【０００９】
続いて図２に示すように、設置台（５）が台座（１）の一端に位置され、被検出体（A）を安定して前上方に設置でき、上記設置台（５）が固定された空中に浮いた座体であり、静止状態の特性を有する。さらに、矩形型カンチレバアーム座（３）全体が移動し検出することに影響を及ぼさない。また図１，３に示すように、矩形型カンチレバアーム座（３）は、縦式スライド座（２）が上下に設置されたレール（２１）内で滑動し、具体的に横向きに移動する機能を有し、相対する被検出体（A）のX軸に沿った検出を行う。
【００１０】
前記の縦式スライド座（２）が底部のスライド座（２２）により直立方法で台座（１）のレールに滑動し、スライド座（２）の全てを台座（１）の経路に従って、縦方向に移動させ、相対する被検出体（A）のY軸に沿った検出を行う。
前記のスライド座（２）の軸に沿った検出に合わせて、被検出体にX、Y軸に沿って全面的に検出機能を行わせることが可能となる。
【００１１】
最後に、本考案の設計主旨と原則が変わらないという前提で、矩形型カンチレバアーム座（３）の開放端内部に設置された光学検出レンズ（４）が一対か一対以上により、異なる数値の検出をそれぞれ行うことができる。  
【図面の簡単な説明】
【００１２】
【図１】本考案に係る実施例を示す傾斜の略図。
【図２】本考案から傾斜に見られる平面構造の略図。
【図３】本考案の上方からその構造、その移動動作を示す傾略図。
【符号の説明】
【００１３】
１      台座
２    縦式スライド座
２１  レール
２２  スライド座
３    矩形型カンチレバアーム座
４    光学検出レンズ
５    設置台
A    被検出体
【図１】
0003121366.tif 000003
【図２】
0003121366.tif 000004
【図３】
0003121366.tif 000005